(57)【要約】      （修正有）【課題】フレキシブルな広帯域周波数変換用の装置及び人工衛星の遠隔操作受信機を提供する。【解決手段】局部発振周波数ＦＯＬ１及びＦＯＬ２を制御可能にする周波数制御装置５００を備える、二重周波数変換用の装置５０１であって、周波数制御装置５００は全体の所望される周波数帯域を連続的にカバーできるように、各周波数合成装置１０６、１０７の周波数を決定する。分数合成の局部発振器である第一の周波数合成装置１０６の禁止された帯域は、少なくとも２つの別個の周波数ＦＯＬ２，Ａ及びＦＯＬ２，Ｂを発生する第二の周波数合成装置１０７の周波数を適切に変更して避けられ、その周波数の差は禁止された帯域の幅よりも厳密に大きい。第二の合成装置１０７は整数合成若しくは分数合成の局部発振器である。【選択図】図５
2011250403.tif 000002
【特許請求の範囲】
【請求項１】
二重周波数変換用の装置（５０１）であって、第一の周波数ＦＲＦにおける信号を受信する、少なくとも１つの第一の増幅及び／又は濾過チェーン（１０１）と、前記信号の第一の中間周波数ＦＦＩ１への第一の周波数変換を行ない、そして前記変換された信号を第二の増幅及び／又は濾過チェーン（１０３）の入力へ配信する第一の周波数ミキサー（１０２）と、第二の前記チェーン（１０３）により配信される信号の、第二の中間周波数ＦＦＩ２への第二の変換を行ない、前記変換された信号を第三の増幅及び／又は濾過チェーン（１０５）の入力へ配信する第二の周波数ミキサー（１０４）と、前記第一のミキサー（１０２）の入力において第一の合成された周波数ＦＯＬ１を生成するように適合された、ループ帯域Ｂの第一の分数の周波数合成装置（１０６）と、そして前記第二のミキサー（１０４）の入力において第二の合成された周波数ＦＯＬ２を生成するように適合された、第二の整数又は分数の周波数合成装置（１０７）とを含む二重周波数変換用の装置において、以下のステップ：
第一の所与の値ＦＯＬ２，Ａにおいて周波数ＦＯＬ２を初期化するステップと、
所与の一対の周波数（ＦＲＦ，ＦＦＩ2）に対して、以下の関係：
・ＦＲＦ＞ＦＯＬ１及びＦＦＩ１＜ＦＯＬ２のとき、ＦＲＦ＝ＦＯＬ１＋ＦＯＬ２−ＦＦＩ2（５）、
・ＦＲＦ＞ＦＯＬ１及びＦＦＩ１＞ＦＯＬ２のとき、ＦＲＦ＝ＦＯＬ１＋ＦＯＬ２＋ＦＦＩ2（６）、
・ＦＲＦ＜ＦＯＬ１及びＦＦＩ１＞ＦＯＬ２のとき、ＦＲＦ＝ＦＯＬ１−ＦＯＬ２−ＦＦＩ2（７）、
・ＦＲＦ＜ＦＯＬ１及びＦＦＩ１＜ＦＯＬ２のとき、ＦＲＦ＝ＦＯＬ１−ＦＯＬ２＋ＦＦＩ2（８）
を用いて周波数ＦＯＬ１を決定するステップと、
ＦＯＬ１に対して得られた値が、下限Ａ．ＦＲＥＦ−Ｂ．Ｘと上限Ａ．ＦＲＥＦ＋Ｂ．Ｘの周波数帯域内にあり、ここでＡが厳密に正の整数であり、Ｘが所与のパラメータである場合、周波数ＦＯＬ２を、ＦＯＬ２，ＡとＦＯＬ２，Ｂとの間の絶対値の差が次の２つの条件：
｜ＦＯＬ２，Ｂ−ＦＯＬ２，Ａ｜＞ＡＦＲＥＦ＋２Ｂ．Ｘ
｜ＦＯＬ２，Ｂ−ＦＯＬ２，Ａ｜＜ＡＦＲＥＦ−２Ｂ．Ｘ
を満足するように決定される第二の値ＦＯＬ２，Ｂに変更するステップと、
周波数の値ＦＯＬ１及びＦＯＬ２を前記周波数合成装置（１０６、１０７）に送信するステップと
を行なうように適合された、前記第一及び第二の合成装置（１０６、１０７）の周波数ＦＯＬ１、ＦＯＬ２を制御するための手段（５００）を更に備えることを特徴とする、二重周波数変換用の装置（５０１）。
【請求項２】
周波数ＦＯＬ１，ＦＯＬ２を制御する前記手段（５００）が最初に、所与の周波数の対であるＦＲＦ，ＦＦＩ２の集合に対して、前記周波数合成装置（１０６、１０７）の周波数ＦＯＬ１，ＦＯＬ２の関連する値を決定するための、前記計算ステップを行ない、そしてそれらが含むメモリ内に得られる周波数ＦＲＦ，ＦＦＩ２，ＦＯＬ１，ＦＯＬ２の集合を記録するように適合されていることを特徴とする、請求項１に記載の二重周波数変換用装置（５０１）。
【請求項３】
周波数ＦＯＬ１，ＦＯＬ２を制御するための前記手段（５００）が、少なくとも１つのメモリを含むＡＳＩＣ（特定用途向け集積回路）又はＦＰＧＡ（フィールド・プログラマブル・ゲート・アレイ）タイプの集積回路により形成されることを特徴とする、請求項１あるいは２に記載の二重周波数変換用装置（５０１）。
【請求項４】
少なくとも中間周波数ＦＦＩ２における信号の復調用手段（１０８）と、周波数ＦＲＦにおける信号を受信し、中間周波数ＦＦＩ２において前記変換された信号を配信する、請求項１〜３のいずれか一項に記載の二重変換装置とを備える、静止衛星用の遠隔操作受信機。
【発明の詳細な説明】
【技術分野】
【０００１】
本発明は無線受信機用、特に人工衛星の遠隔操作受信機用の二重周波数変換装置、及びそのような装置を含む人工衛星の遠隔操作受信機に関する。
【背景技術】
【０００２】
人工衛星の遠隔操作受信機は静止又は非静止衛星の機上に位置し、地上局と前記衛星との間の、“Ｔｅｌｅｍｅｔｒｙ，  Ｔｒａｃｋｉｎｇ  ａｎｄ  Ｃｏｍｍａｎｄ”＝「遠隔測定、追跡、及び指令」を意味する用語であるＴＴＣリンクによって知られる、遠隔操作及び距離測定用のリンクを実行する。
【０００３】
ＴＴＣ受信機構成の既知の解決策は、最も頻繁に固定周波数又は限られた数の周波数を配信する局部発振器を使用する。局部発振器の周波数を変えることにより、受信機の受信周波数の適応性が得られる。この周波数は整数又は分数であり得る周波数合成の局部発振器を用いて、プログラミング可能又は遠隔操作可能にされ得る。
【０００４】
既知の分数タイプの合成装置の使用は、非常に広帯域の周波数をカバーし、一方で非常に細かい周波数選択のピッチを確実にする利点を組み合わせる。ＴＴＣ受信機の周波数を再構成するこの可能性は、例えば軌道位置が変化する間に複数の衛星の周波数を調整すること、又は一定の妨害される周波数の使用を避けることを可能にする。
【０００５】
ＴＴＣ受信機構成において分数合成装置を用いることの主要な欠点の１つは、予め定められた一定の周波数帯域に対する性能の低下に起因する。
【発明の概要】
【発明が解決しようとする課題】
【０００６】
本発明の目的は特に、既知の分数合成装置の制限を、そのような装置に特有の禁じられた周波数帯域を削除することにより解消することである。本発明により提供される解決策は、本発明による受信機が備える第２の周波数合成の局部発振器における、周波数の適応性を用いることにある。２つの局部発振器の適切な同時制御により、分数合成装置の禁じられた周波数帯域は、受信機が不連続性なしに非常に広い周波数帯域のカバーを可能にするため、避けることができる。
【課題を解決するための手段】
【０００７】
このために、本発明は第一の周波数ＦＲＦにおける信号を受信する、少なくとも１つの第一の増幅及び濾過チェーンと、前記信号の第一の中間周波数ＦＦＩ１への第一の周波数変換を行ない、そして前記変換された信号を第二の増幅及び濾過チェーンの入力へ配信する第一の周波数ミキサーと、第二の前記チェーンにより配信される信号の、第二の中間周波数ＦＦＩ２への第二の変換を行ない、前記変換された信号を第三の増幅及び濾過チェーンの入力へ配信する第二の周波数ミキサーと、前記第一のミキサーの入力において第一の合成された周波数ＦＯＬ１を生成するように適合された、ループ帯域Ｂの第一の分数の周波数合成装置と、そして前記第二のミキサーの入力において第二の合成された周波数ＦＯＬ２を生成するように適合された、第二の整数又は分数の周波数合成装置とを含む二重周波数変換用の装置に関し、装置が以下のステップ：
第一の所与の値ＦＯＬ２，Ａにおいて周波数ＦＯＬ２を初期化するステップと、
所与の一対の周波数（ＦＲＦ，ＦＦＩ2）に対して、以下の関係：
・ＦＲＦ＞ＦＯＬ１及びＦＦＩ１＜ＦＯＬ２のとき、ＦＲＦ＝ＦＯＬ１＋ＦＯＬ２−ＦＦＩ2（５）、
・ＦＲＦ＞ＦＯＬ１及びＦＦＩ１＞ＦＯＬ２のとき、ＦＲＦ＝ＦＯＬ１＋ＦＯＬ２＋ＦＦＩ2（６）、
・ＦＲＦ＜ＦＯＬ１及びＦＦＩ１＞ＦＯＬ２のとき、ＦＲＦ＝ＦＯＬ１−ＦＯＬ２−ＦＦＩ2（７）、
・ＦＲＦ＜ＦＯＬ１及びＦＦＩ１＜ＦＯＬ２のとき、ＦＲＦ＝ＦＯＬ１−ＦＯＬ２＋ＦＦＩ2（８）
を用いて周波数ＦＯＬ１を決定するステップと、
ＦＯＬ１に対して得られた値が、下限Ａ．ＦＲＥＦ−Ｂ．Ｘと上限Ａ．ＦＲＥＦ＋Ｂ．Ｘの周波数帯域内にあり、ここでＡが厳密に正の整数であり、Ｘが所与のパラメータである場合、周波数ＦＯＬ２を、ＦＯＬ２，ＡとＦＯＬ２，Ｂとの間の絶対値の差が次の２つの条件：
｜ＦＯＬ２，Ｂ−ＦＯＬ２，Ａ｜＞ＡＦＲＥＦ＋２Ｂ．Ｘ
｜ＦＯＬ２，Ｂ−ＦＯＬ２，Ａ｜＜ＡＦＲＥＦ−２Ｂ．Ｘ
を満足するように決定される第二の値ＦＯＬ２，Ｂに変更するステップと、
周波数の値ＦＯＬ１及びＦＯＬ２を前記周波数合成装置に送信するステップと
を行なうように適合された、前記第一及び第二の合成装置の周波数ＦＯＬ１、ＦＯＬ２を制御するための手段を更に備えることを特徴とする。
【０００８】
本発明の１つの代替実施形態において、周波数ＦＯＬ１，ＦＯＬ２を制御するための前記手段は最初に、所与の周波数の対であるＦＲＦ，ＦＦＩ２の集合に対して、前記周波数合成装置の周波数ＦＯＬ１，ＦＯＬ２の関連する値を決定するための、前記計算ステップを行なうこと、及びそれらが含むメモリ内に得られる周波数ＦＲＦ，ＦＦＩ２，ＦＯＬ１，ＦＯＬ２の集合を記録することに適する。
【０００９】
本発明の別の代替実施形態において、周波数ＦＯＬ１，ＦＯＬ２を制御するための前記手段は、少なくとも１つのメモリを含むＡＳＩＣ（特定用途向け集積回路）又はＦＰＧＡ（フィールド・プログラマブル・ゲート・アレイ）タイプの集積回路により形成される。
【００１０】
本発明はまた、少なくとも中間周波数ＦＦＩ２における信号を復調するための手段と、周波数ＦＲＦにおける信号を受信し、中間周波数ＦＦＩ２において前記変換された信号を配信する、本発明による二重の変換装置とを備える、静止衛星用の遠隔操作受信機にも関する。
【００１１】
その他の特徴は例として与えられ、制限されず、そして添付図に関連して提供される以下の詳細記述を読むことにより、明らかになるであろう。
【図面の簡単な説明】
【００１２】
【図１】先行技術による人工衛星のＴＴＣ遠隔操作受信機の構成のブロック図を表わす。
【図２】先行技術による分数合成装置における局部発振器のブロック図を表わす。
【図３】分数合成装置を用いて導かれる、周波数ＦＯＬ１とノイズ周波数との間の関係を例証する数値的応用表を表わす。
【図４】分数合成装置によって使用できない周波数帯域の一例を表わす。
【図５】本発明による、人工衛星のＴＴＣ遠隔操作受信機の構成のブロック図を表わす。
【図６】周波数ＦＯＬ１及びＦＯＬ２の決定を例証する数値的応用表を表わす。
【発明を実施するための形態】
【００１３】
図１は先行技術によるＴＴＣ受信機１０の構成を説明する。それは周波数ＦＲＦにおいて信号を受信する少なくとも１つの無線周波数ゲインのチェーン１０１、そのゲインのチェーン１０１により、中間周波数ＦＩ１において第一のゲインのチェーン１０３に配信される信号の、第一の周波数変換を行なう第一の周波数ミキサー１０２、及び中間周波数におけるゲインのチェーン１０３により、中間周波数ＦＩ２において第二のゲインのチェーン１０５に配信される信号の、第二の周波数変換を行なう第二の周波数ミキサー１０４を含む。ゲインのチェーン１０１、１０３、１０５は基本的に、入力においてそれらが受信する信号を、濾過及び／又は増幅するための手段を構成する。
【００１４】
ＴＴＣ受信機はまた、２つの連続する変換に必要な合成された周波数ＦＯＬ１，ＦＯＬ２を発生するのに双方とも適した、周波数を発生する分数の周波数合成の第一局部発振器１０６、及び整数又は分数の周波数合成の第二局部発振器１０７を備える。２つの局部発振器１０６、１０７により行なわれる二重の周波数変換は、受信機の入力における高い周波数ＦＲから、信号の復調用手段１０８の入力における低い周波数ＦＩ２に変えるために必要である。
【００１５】
周波数ＦＩ１は、周波数ＦＲＦを周波数ＦＯＬ１により置き換えることにより得られる。それらの間の関係は：
ＦＲＦ＞ＦＯＬ１の場合、ＦＦＩ１＝ＦＲＦ−ＦＯＬ１    （１）
又はＦＲＦ＜ＦＯＬ１の場合、ＦＦＩ１＝ＦＯＬ１−ＦＲＦ    （２）
である。
周波数ＦＩ２は、周波数ＦＩ１を周波数ＦＯＬ２により置き換えることにより得られる。それらの間の関係は：
ＦＦＩ１＞ＦＯＬ２の場合、ＦＦＩ２＝ＦＦＩ１−ＦＯＬ２    （３）
又はＦＦＩ１＜ＦＯＬ２の場合、ＦＦＩ２＝ＦＯＬ２−ＦＦＩ１    （４）
である。
単純化のために、この説明の残りは、もし本発明が関係（２）及び（３）に適用される場合と同じく当てはまるならば、関係（１）及び（４）に基づく。
従って、関係（１）と（４）を結び付けることにより、式
ＦＲＦ＝ＦＯＬ１＋ＦＯＬ２−ＦＦＩ２      （５）
が得られる。
復調手段１０８は固定周波数において入力信号と共に機能し、それゆえ周波数ＦＦＩ２は本システムの仕様によって課される定数である。
受信機は広周波数帯域：ＦＲＦｍｉｎ＜ＦＲＦ＜ＦＲfｍａｘにわたって動作する。
【００１６】
図２は先行技術による、分数合成の局部発振器の構成を図解している。
【００１７】
分数合成の局部発振器１０６は少なくとも次の要素を含む。水晶発振器２０１は、係数Ｐにより任意に事前に分割される、固定された基準周波数ＦＲＥＦ２０６を比較器２０２に配信する。分数の分割器２０３はＮ＋Ｋ／Ｍの比率で周波数分割を行ない、ここでＮ及びＫはプログラミング可能なパラメータ、そしてＭは合成装置１０６の分数係数である（０＜Ｋ＜Ｍ）。比較器２０２は次の関係：ＦＯＬ１＝ＦＲＥＦ×（Ｎ＋Ｋ／Ｍ）を確立するため、周波数ＦＲＥＦと周波数ＦＯＬ１／（Ｎ＋Ｋ／Ｍ）との間の等式を確実にする。分数合成の局部発振器は、その機能が位相ノイズ及び可能性のあるノイズラインを濾過することであるループフィルタ２０５、及び電圧制御された発振器２０４をさらに含む。
【００１８】
図３は５０Ｈｚの基準周波数ＦＲＥＦ及びパラメータＭ＝１０００００に基づく、３０００〜４０００ＭＨｚの間にある周波数ＦＯＬ１の生成のための、数値的な適用例を説明している。この例において、Ｎは６０〜８０の間、そしてＫは０〜９９９９９の間にある。
局部発振器の周波数のピッチは５００Ｈｚである。
Ｎ及びＫは局部発振器の２つの制御パラメータである。
【００１９】
図１に説明されている従来技術による分数合成装置の構成は、一定の制限を有する。周波数ＦＯＬ１と比較周波数ＦＲＥＦとの間の相互作用のために、分数合成装置により生成される信号のスペクトル純度を低下させる、ノイズラインを作り出す既知の現象が存在する。これらのノイズラインはΔＦ＝±｜ＦＯＬ１−（Ａ．ＦＲＥＦ）｜に等しい周波数間隔において、周波数ＦＯＬ１のいずれの側にも作られ、ここで（Ａ．ＦＲＥＦ）はＦＯＬ１の最も近くにあるＦＲＥＦの倍数の値であり、Ａは正の整数で、そして｜｜は数の絶対値を表わす。
【００２０】
図３における表の最後の列は、３ＧＨｚと４ＧＨｚの間にある有用な周波数帯域及び５０ＭＨｚに等しい固定周波数ＦＲＥＦにおける、様々な周波数の値ＦＯＬ１に対して観察されるノイズラインの周波数を示す。図３の表は発生し得る周波数の値ＦＯＬ１の幾らかの例のみを示す。ノイズラインの周波数は、周波数ＦＯＬ１が周波数ＦＲＥＦの倍数に等しいときのみ、それと混同されることが見られ得る。ＦＯＬ１が周波数ＦＲＥＦの倍数に等しくないとき、２本のノイズラインが周波数ＦＯＬ１のいずれの側にも現われる。これらは周波数ＦＯＬ１の値が周波数ＦＲＥＦの倍数から離れる程、そして周波数ＦＲＥＦ／２の倍数に近づく程、益々それから遠くなる。図３の数値的例において、周波数ＦＯＬ１とノイズラインとの間の周波数間隔は、ＦＯＬ１＝３０２５ＭＨｚに対して最大である。ノイズラインは周波数ＦＲＥＦの倍数である周波数のまわりに局所化される。
【００２１】
分数合成装置１０６のループフィルタ２０５は、とりわけ位相ノイズ及びノイズラインを濾過する機能を有する。濾過性能はＨｚで表わされるループ帯域パラメータの関数として調整される。このパラメータは、少なくとも局部発振器の位相ノイズレベルを最適化するように、いずれにせよ固定される。ノイズラインは又、ノイズラインと周波数ＦＯＬ１との間隔ΔＦが、分数合成装置１０４のループ帯域のＸ倍を超えるとき、ループフィルタ２０５によって、ＴＴＣ受信機の動作に対して容認できる水準まで濾過される。例として、数字Ｘは１０に等しく取られ得る。パラメータＸは整数又は非整数であり、ノイズラインと関連する妨害に対する受信機の許容範囲に応じて調整される。
【００２２】
図３の数値例に戻って、２５０ｋＨｚに等しいループ帯域Ｂに対し、ＴＴＣ受信機に有害なノイズラインは５０ＭＨｚ毎に±２．５ＭＨｚの周波数帯域内にあり、それは全帯域の１０％に相当する。これらの周波数帯域は従って、その中でノイズラインの出現なしには周波数ＦＯＬ１を発生することができない、禁止された帯域を表わす。それゆえ、分数合成装置の使用は、低下の許容レベルで全体の所望される周波数帯域を連続的にカバーすることを可能にしない。一般に、分数合成装置はＡが厳密に正の整数である、周波数Ａ．ＦＲＥＦを中心とする幅２Ｂ．Ｘの帯域内にある周波数ＦＯＬ１に対して、正しく機能しないであろう。図４は図３に示される数値的応用に対する、禁止帯域の周波数分布を図解している。
【００２３】
ＴＴＣ受信機の動作周波数帯域ＦＲＦは次の関係、ＦＲＦ＝ＦＯＬ１＋ＦＯＬ２−ＦＦＩ２により、分数合成装置１０６でカバーされる帯域と関連する。そのような分数合成装置１０６の禁止された、或いは使用できない帯域は、ＴＴＣ受信機の有用な入力帯域に影響する。
【実施例】
【００２４】
この問題を解決するため、本発明によるＴＴＣ受信機は、図１に関連して既に述べた要素に加えて、図５に表わされるような周波数制御装置５００を備え、その機能は上述の禁止された周波数帯域を避ける必要なしに、ＴＴＣ受信機の入力において、全体の所望される周波数帯域を連続的にカバーできるように、各合成装置１０６、１０７の適切な周波数を決定することである。第一の分数合成装置１０６の禁止された帯域は、少なくとも２つの別個の周波数ＦＯＬ２，Ａ及びＦＯＬ２，Ｂを発生するのに適した、第二の合成装置１０７の周波数の適切な変更により避けられ、その周波数の差は図３の例に関して使用されている数値に対して、禁止された帯域の幅、すなわち２Ｂ．Ｘ又は５ＭＨｚよりも厳密に大きい。第二の合成装置１０７は整数合成の局部発振器であることが望ましいが、しかしそれはまた分数合成の局部発振器であるかも知れない。
【００２５】
本発明によるＴＴＣ受信機の構成が図５に例証されている。図１に関連して既に述べられた要素に加えて、この受信機は周波数ＦＯＬ１及びＦＯＬ２を制御可能にする装置５００を含む。所与の周波数の対（ＦＲＦ，ＦＦＩ２）に対して、本発明による装置５００は次のステップを実行する。
【００２６】
第二の合成装置１０７の周波数は最初に、その第一の値ＦＯＬ２＝ＦＯＬ２，Ａに固定される。
【００２７】
第一の分数合成装置１０６の周波数値は、ＦＲＦ＞ＦＯＬ１及びＦＦＩ１＜ＦＯＬ２の場合に、関係（５）ＦＲＦ＝ＦＯＬ１＋ＦＯＬ２−ＦＦＩ２に基づいて決定される。その他に３つの場合が生じ得る。
ＦＲＦ＞ＦＯＬ１及びＦＦＩ１＜ＦＯＬ２の場合、ＦＲＦ＝ＦＯＬ１＋ＦＯＬ２＋ＦＦＩ２  （６）
ＦＲＦ＜ＦＯＬ１及びＦＦＩ１＜ＦＯＬ２の場合、ＦＲＦ＝ＦＯＬ１−ＦＯＬ２−ＦＦＩ２  （７）
ＦＲＦ＜ＦＯＬ１及びＦＦＩ１＜ＦＯＬ２の場合、ＦＲＦ＝ＦＯＬ１−ＦＯＬ２＋ＦＦＩ２  （８）
【００２８】
関係（５）（６）（７）又は（８）を適用することにより、ＦＯＬ１に対して得られる値が、禁止された帯域、すなわちＡ．ＦＲＥＦの値の周波数を中心とする２Ｂ．Ｘの幅の帯域内に含まれる値に合致する場合、前記帯域は受信機の有用な入力周波数帯域［ＦＲＦｍｉｎ，ＦＲfｍａｘ］内に含まれ、そのとき、そしてこの場合のみ、第二の合成装置１０７の周波数は変更され、その第二の値ＦＯＬ２＝ＦＯＬ２，Ｂに割り当てられる。この第二の値は、第一の値から少なくとも２Ｂ．Ｘよりも大きく、ＦＲＥＦ−２Ｂ．Ｘよりも小さい間隔を有する。その結果は、従って禁じられた帯域内での周波数ＦＯＬ１の発生が避けられ、一方で受信機が、システムと関連する制約によって課される周波数の対（ＦＲＦ，ＦＦＩ２）に適合し続けることを可能にする。より一般的に、周波数ＦＯＬ２，Ｂによって満足されるべき条件は、その値の選定が禁止された帯域内にある値、すなわち下限Ａ．ＦＲＥＦ−Ｂ．Ｘと上限Ａ．ＦＲＥＦ＋Ｂ．Ｘの周波数帯域内に含まれる値と合致する、周波数ＦＯＬ１の値を避けるのを可能にすることである。この条件は一般に、共に満足されるべき次の２つの不等式により表わされる。
｜ＦＯＬ２，Ｂ−ＦＯＬ２，Ａ｜＞ＡＦＲＥＦ＋２Ｂ．Ｘ
｜ＦＯＬ２，Ｂ−ＦＯＬ２，Ａ｜＜ＡＦＲＥＦ−２Ｂ．Ｘ
ここで、Ａは正の整数又は０である。
【００２９】
本発明による装置５００は、適切な周波数（ＦＯＬ１，ＦＯＬ２）を生成するために所与の一対の周波数（ＦＲＦ，ＦＦＩ２）に対する先行するステップを行なう。
【００３０】
本発明の代替の実施形態において、関係（５）（６）（７）及び（８）は周波数（ＦＲＦ，ＦＦＩ２）の各々の対に対して関連する対（ＦＯＬ１，ＦＯＬ２）を含む、図６に例証されるような表を生成するために前もって実行される。
【００３１】
装置５００は、その出力において合成装置１０６、１０７の周波数制御を供給することを可能にするデジタル集積回路、例えばプログラマブル論理回路、読み出し専用メモリ、又は他の任意の装置である。
【００３２】
２つの周波数合成装置１０６、１０７及び３つのゲインのチェーン１０１、１０３、１０５と関連する制御装置５００は、本発明による二重の周波数変換装置５００を構成する。
【００３３】
図６は、切れ目なく受信機の全ての入力周波数範囲ＦＲＦをカバーできるように、そして関係（５）が当てはまる場合に、本発明によるＴＴＣ受信機の各周波数合成装置により生成される、周波数ＦＯＬ１及びＦＯＬ２のそれぞれの値を表に示す。図６の例は、例えば周波数ＦＯＬ２，Ａ＝９００ＭＨｚ、又は周波数ＦＯＬ２，Ｂ＝９１０ＭＨｚのいずれかを生成するように適合された第二の合成装置と共に、４０００〜４５００ＭＨｚの間にある受信機の有用な入力帯域に関する。これら２つの周波数の選定に対して満足されるべき制約は、それらの間の差が５ＭＨｚよりも大きく、４５ＭＨｚよりも小さいことである。前述の制約が満足される限り、周波数の別の選定が可能であり、これは入力周波数帯域をカバーすることにおける連続性を保証する一方で、禁止された帯域内にある周波数ＦＯＬ１の発生を回避する目的である。
【符号の説明】
【００３４】
１０  ＴＴＣ受信機
１０１  ゲインのチェーン
１０２  第一の周波数ミキサー
１０３  ゲインのチェーン
１０４  第二の周波数ミキサー
１０５  ゲインのチェーン
１０６  第一の分数の周波数合成装置    （局部発振器）
１０７  第二の周波数合成装置    （局部発振器）
１０８  信号の復調用手段
２０１  水晶発振器
２０２  比較器
２０３  分数の分割器
２０４  電圧制御された発振器
２０５  ループフィルタ
２０６  基準周波数
５００  周波数制御装置
５０１  二重周波数変換用の装置
【図１】
2011250403.tif 000003
【図２】
2011250403.tif 000004
【図３】
2011250403.tif 000005
【図４】
2011250403.tif 000006
【図５】
2011250403.tif 000007
【図６】
2011250403.tif 000008
【外国語明細書】
2011250403000001.pdf